(57)【要約】【課題】  壁材を正確かつ容易に設置することができ、作業工程の自由度が大きい施工性に優れた床・壁内装構造及び床・壁内装工法を提供する。【解決手段】  構造物の躯体の内側に床材と壁材を配置する床・壁内装工法において、内装として設置する壁材２の設置箇所に、先行して壁際床材１を配置する。そして、壁際床材１上に壁材２を設置する。  また、壁際床材１の配置されていない躯体床７ｃ上に一般部床材３を配置する。ここで、一般部床材３にパネル状の定型部材を使用することもできる。【選択図】  図２
2005314943.tif 000002
【特許請求の範囲】
【請求項１】
構造物の躯体の内側に床材と壁材を配置する床・壁内装構造であって、
内装として設置する壁材の設置箇所に、先行して配置する壁際床材と、
前記壁際床材上に設置する壁材と、
前記壁際床材の配置されていない躯体床上に配置する一般部床材と、を有することを特徴
とする床・壁内装構造。
【請求項２】
前記一般部床材にパネル状の定型部材を使用することを特徴とする請求項１に記載の床
・壁内装構造。 
【請求項３】
前記壁際床材と前記一般部床材に跨って床仕上げ材を配置することを特徴とする請求項
１又は請求項２に記載の床・壁内装構造。 
【請求項４】
構造物の躯体の内側に床材と壁材を配置する床・壁内装工法において、
内装として設置する壁材の設置箇所に、先行して壁際床材を配置し、
前記壁際床材上に壁材を設置することを特徴とする床・壁内装工法。 
【請求項５】
構造物の躯体の内側に床材と壁材を配置する床・壁内装工法において、
内装として設置する壁材の設置箇所に、先行して壁際床材を配置し、
前記壁際床材上に壁材を設置し、
前記壁際床材の配置されていない躯体床上に一般部床材を配置することを特徴とする床・
壁内装工法。
【発明の詳細な説明】
【技術分野】
【０００１】
本発明は、構造物の躯体の内側に床材と壁材を配置する床・壁内装構造及び床・壁内装
工法に関するものである。
【背景技術】
【０００２】
従来の床・壁内装工法として、図６，７に示すような工法が知られている（例えば、特
許文献１等参照）。
【０００３】
図６に示した床を先行して施工する工法では、コンクリート等を打設して構築した躯体
床７ｃの上面に、間隔を置いて複数の支持脚４及び受台６を設置する。
【０００４】
そして、受台６の上に床材９を敷設する。この床材９は平面性が確保されているため、
床材９の上に壁材２を精度良く設置することができる。
【０００５】
また、図７に示した壁を先行して施工する工法では、躯体床７ｃの上面に最初に壁材２
を設置する。
【０００６】
そして、躯体床７ｃの上面に設置した支持脚４及び受台６の上に、床材９を敷設する。
ここで、壁材２に突き付ける端部床材１０，１０は、寸法が様々となるため施工箇所ごと
に切断処理を必要とする。
【特許文献１】特開２００２−１０６０８８号公報（図４、５，０００２段落乃至０００３段落）
【発明の開示】
【発明が解決しようとする課題】
【０００７】
しかしながら、従来の床・壁内装工法では、床材９を先行して施工する場合、躯体床７
ｃ上を整理しておく必要がある。すなわち、躯体床７ｃ上には、通常、資材が仮置きされ
ている場合が多く、これらを片付けた後でなければ床材９を施工できない。
【０００８】
また、作業手順として、床下配管をおこなった後でなければ床材９を敷設することがで
きず、作業工程上の制約を受ける。
【０００９】
さらに、床材９を敷設した後では、重い資材を置くことができないため、作業手順や資
材の搬入などで制約を受ける場合がある。
【００１０】
また、壁材２を先行して施工する場合は、コンクリートを打設して構築した躯体床７ｃ
の上面に、直接、壁材２を設置することになる。
【００１１】
躯体床７ｃの上面は、打ち上げられたコンクリートで形成されているため、凹凸や傾き
があるなどして平面性に欠ける。このため、設置する壁材２が傾いたり、安定性が悪かっ
たりして、精度良く設置することが難しい。
【００１２】
また、壁材２の両側には寸法が様々な端部床材１０が必要となるため、切断処理が多く
なり、施工性に欠ける。
【００１３】
そこで、本発明は、壁材を正確かつ容易に設置することができ、作業工程の自由度が大
きい施工性に優れた床・壁内装構造及び床・壁内装工法を提供することを目的としている
。
【課題を解決するための手段】
【００１４】
前記目的を達成するために、請求項１の発明は、構造物の躯体の内側に床材と壁材を配
置する床・壁内装構造であって、内装として設置する壁材の設置箇所に、先行して配置す
る壁際床材と、前記壁際床材上に設置する壁材と、前記壁際床材の配置されていない躯体
床上に配置する一般部床材と、を有することを特徴としている。
【００１５】
また、請求項２に記載されたものは、前記一般部床材にパネル状の定型部材を使用する
請求項１に記載の床・壁内装構造を特徴としている。
【００１６】
更に、請求項３に記載されたものは、前記壁際床材と前記一般部床材に跨って床仕上げ
材を配置する請求項１又は２記載の床・壁内装構造を特徴としている。
【００１７】
また、請求項４の発明は、構造物の躯体の内側に床材と壁材を配置する床・壁内装工法
において、内装として設置する壁材の設置箇所に、先行して壁際床材を配置し、前記壁際
床材上に壁材を設置することを特徴としている。
【００１８】
また、請求項５の発明は、構造物の躯体の内側に床材と壁材を配置する床・壁内装工法
において、内装として設置する壁材の設置箇所に、先行して壁際床材を配置し、前記壁際
床材上に壁材を設置し、前記壁際床材の配置されていない躯体床上に一般部床材を配置す
ることを特徴としている。
【発明の効果】
【００１９】
このように構成された請求項１の発明は、内装として設置する壁材の設置箇所に先行し
て壁際床材を配置するため、壁材を精度良く容易に設置することができる。
【００２０】
また、請求項２に記載されたものは、一般部床材としてパネル状の定型部材を使用する
ため、切断処理が不要で、容易に床材を配置することができる。
【００２１】
さらに、請求項３に記載されたものは、壁際床材と一般部床材に跨って床仕上げ材を配
置するため、床の表面上に段差や隙間を生じさせることがない。
【００２２】
また、請求項４の発明によれば、壁際付近以外に床材を設置する作業は、壁材の設置工
程に影響を受けることなく自由に行うことができる。
【００２３】
そして、請求項５に記載された方法は、壁際床材の配置されていない躯体床上に後から
一般部床材を設置するため、床下配管作業などを壁材の設置作業と並行して行うことがで
きる。このため、工期の短縮が図れる。また、躯体床上の開口された範囲を資材置き場な
どとして有効に利用できる。
【発明を実施するための最良の形態】
【００２４】
以下、本発明の最良の実施の形態について図面を参照して説明する。
【００２５】
なお、前記従来例と同一乃至均等な部分については、同一符号を付して説明する。
【００２６】
図１及び図２は、本実施の形態による床・壁内装工法の施工手順を示している。
【００２７】
まず、構成から説明すると、このような本実施の形態の床・壁内装構造は、コンクリー
トや鋼材で構築した構造物の躯体７の内側に、床材と壁材を配置する構造である。
【００２８】
このため、床は二重構造となり、躯体壁７ａ際の壁も二重構造になる。壁際床材１は、
この内装として設置する壁材２の設置箇所に先行して配置する。
【００２９】
壁際床材１は、木材の小片を加熱成形したパーチクルボードや、集成材、積層材等のエ
ンジニアリングウッドなどを使用して形成する。例えば、１８００ｍｍ程度に規格化され
た長さを有する長方形の材料を、所定の幅に切断して使用する。
【００３０】
壁際床材１の幅は、躯体７内側寸法から後述する一般部床材３の幅を差し引いた幅を、
一般部床材３の両端に配置する壁際床材１，１に適宜振り分けて設定すればよい。
【００３１】
壁材２は、壁際床材１上に設置して躯体７の内部空間を鉛直方向に仕切る部材である。
合板や石膏ボードなどを使用して構築できる。
【００３２】
一般部床材３は、壁際床材１の配置されていない躯体床上に配置する床材である。一般
部床材３にも、パーチクルボードや、エンジニアリングウッドなどが使用できる。
【００３３】
特に、一般部床材３には、木材加工時に発生する切り粉をさらに加工した合成木材やパ
ーチクルボード等で成形したパネル状の定型部材を使用するのが好ましい。例えば、５０
０ｍｍ×５００ｍｍ程度の正方形の定型パネルを使用することができる。
【００３４】
次に、この実施の形態の作用について説明する。
【００３５】
図３は、躯体壁７ａ、サッシ７ｂ及び開口部に囲まれた躯体内部空間に、壁際床材１、
壁材２、及び一般部床材３を配置した平面図である。
【００３６】
本発明では、最初に壁際床材１を配置する。
【００３７】
壁際床材１を躯体床７ｃ上に設置するために、例えば支柱４ａと台座４ｂからなる支持
脚４を使用する。
【００３８】
例えば、躯体床７ｃの上面に間隔をおいて複数の支持脚４を設置し、その支持脚４，４
，４・・・間に際根太５を架け渡す。そして並行に配置した際根太５，５の上に壁際床材
１を設置する（図４参照）。
【００３９】
壁際床材１は、後に内装として壁材２を設置する箇所に予め設置しておく。
【００４０】
壁際床材１には、例えば１８００ｍｍ程度の長さを有する矩形の板材が使用できるので
、パネル材を寸法に合わせて切断する場合に比べて切断箇所が少なく、施工性が良い。
【００４１】
また、壁際床材１は、その上に床仕上げ材８を敷設して床面を形成することになるため
、精度良く平面性が確保できるように設置する。
【００４２】
壁際床材１の上面には、壁材２を設置する。壁際床材１の上面は平面性が確保されてい
るため、容易に精度良く壁材２を設置することができる。
【００４３】
壁際床材１の配置されていない躯体床７ｃ上には、一般部床材３を配置する。一般部床
材３の支持にも壁際床材１と同様に支持脚４が使用できる。支持脚４の頭部に受台６を取
り付けて、その上面に一般部床材３を載置する。
【００４４】
一般部床材３にパネル状の定型部材を使用する場合は、定型寸法の整数倍になるように
壁際床材１の配置されていない床面を残す。
【００４５】
パネルの角が配置される位置には、支持脚４及び受台６を予め設置しておく。そして、
パネル状の一般部床材３の四隅を支持させながら、順次、一般部床材３を敷設する。
【００４６】
一般部床材３の敷設は、床下配管作業や仮置きされている資材などの敷設作業の障害に
なる場所を避けて開始すればよい。
【００４７】
一般部床材３及び壁材２の配置が終了した後に、フロアリングボード、カーペット、コ
ルクタイル、長尺ビニル、石材又はタイルなどの床仕上げ材８を配置する。
【００４８】
床仕上げ材８は、壁際床材１と一般部床材３に跨って配置する（図４参照）。
【００４９】
以上に述べたように構築される床・壁内装構造では、壁際床材１が平面性を確保して配
置される。このため、壁際床材１の上面に設置する壁材２は、容易に精度良く設置するこ
とができる。
【００５０】
また、壁際床材１を設置した段階では、躯体壁７ａに沿って壁際床材１が配置されてい
るだけなので、躯体床７ｃ上面の大部分が開放されている。このため、躯体床７ｃ上に資
材を置いたままでも作業を進めることができる。
【００５１】
また、床下配管を行う時期も制約を受けにくく、都合のよい時期に調整して施工すれば
よいので施工性が向上する。
【００５２】
また、壁材２の設置作業と一般部床材３の敷設作業を並行して実施することもできるの
で、工期の短縮が図れる。
【００５３】
さらに、一般部床材３が定型部材であれば、設置箇所が限定されないため、設置作業が
簡単である。
【００５４】
また、壁際床材１が配置されていない残された床面が定型寸法の整数倍になっている場
合は、一般部床材３を切断処理する必要がなく、パネルを並べるだけで良いため施工性に
優れる。
【００５５】
また、壁際床材１と一般部床材３に跨って床仕上げ材８を配置すれば、床の表面上に段
差や隙間が生じることがない。
【００５６】
以上、図面を参照して、本発明の最良の実施の形態を詳述してきたが、具体的な構成は
、この実施の形態に限らず、本発明の要旨を逸脱しない程度の設計的変更は、本発明に含
まれる。
【００５７】
例えば、前記実施の形態では、壁材２を設置する時期を、一般部床材３の敷設前、又は
並行作業としたが、一般部床材３を設置した後であっても良い。
【００５８】
また、図５に示すように、壁材２を躯体壁７ａの近傍ではなく、躯体７空間の仕切り壁
として配置することもできる。この場合は、壁材２の設置予定箇所の躯体床７ｃ上に、中
央分離帯のように壁際床材１を設置すればよい。
【００５９】
また、壁際床材１と一般部床材３のみで床面を形成できる場合は、床仕上げ材８の敷設
はおこなわなくともよい。
【図面の簡単な説明】
【００６０】
【図１】本発明の最良の実施の形態の壁材を設置する作業手順を示した斜視図である。
【図２】本発明の最良の実施の形態のパネル状の一般部床材を設置する作業手順を示した斜視図である。
【図３】本発明の最良の実施の形態の床・壁内装構造の平面図である。
【図４】図３のＡ−Ａ断面に床仕上げ材を配置した床・壁内装構造の断面図である。
【図５】壁材を躯体空間の仕切り材として使用した床・壁内装構造の断面図である。
【図６】従来例の床材を先行して構築した床・壁内装構造の断面図である。
【図７】従来例の壁材を先行して構築した床・壁内装構造の断面図である。
【符号の説明】
【００６１】
１            壁際床材
２            壁材
３            一般部床材
４            支持脚
４ａ          支柱
４ｂ          台座
５            際根太
６            受台
７            躯体
７ａ          躯体壁
７ｂ          サッシ
７ｃ          躯体床
８            床仕上げ材
９            床材
１０          端部床材
【図１】
2005314943.tif 000003
【図２】
2005314943.tif 000004
【図３】
2005314943.tif 000005
【図４】
2005314943.tif 000006
【図５】
2005314943.tif 000007
【図６】
2005314943.tif 000008
【図７】
2005314943.tif 000009